(57)【要約】【課題】眼科診療の効率化を図ることができる眼科検査システムを提供すること。【解決手段】眼科検査システム１は、眼科検査装置１０等と、眼科検査装置１０等が設置された施設において被検者により使用される被検者端末１００と、眼科検査装置１０等が設置された検査室の待合空間に設置され、被検者端末１００と通信可能に接続された待合端末３００ａ〜３００ｉと、を備える。待合端末３００ａ〜３００ｉは、被検者端末１００と待合端末３００ａ〜３００ｉとの間において近距離通信技術を介して通信が行われると、被検者に割り当てられた識別情報および被検者端末１００の現在位置を示す位置データを受信する。【選択図】図１
2019063115.tif 000002
【特許請求の範囲】
【請求項１】
眼科検査装置と、
前記眼科検査装置が設置された施設において被検者により使用される被検者端末と、
前記眼科検査装置が設置された検査室の待合空間に設置され、前記被検者端末と通信可能に接続された待合端末と、
を備え、
前記待合端末は、前記被検者端末と前記待合端末との間において近距離通信技術を介して通信が行われると、前記被検者に割り当てられた識別情報および前記被検者端末の現在位置を示す位置データを受信することを特徴とする眼科検査システム。
【請求項２】
前記被検者端末および前記待合端末と通信回線を介して通信可能に接続された管理装置をさらに備え、
前記待合端末または前記管理装置は、前記被検者端末から受信した前記識別情報に基づいて前記眼科検査装置による検査を待機している前記被検者の人数を算出することを特徴とする請求項１に記載の眼科検査システム。
【請求項３】
複数の前記検査室に複数の前記眼科検査装置が設けられ、
前記複数の検査室のそれぞれに割り当てられた複数の前記待合端末が設けられ、
前記管理装置は、前記複数の待合端末のうちの第１待合端末において待機している前記被検者の人数に応じて、前記第１待合端末に対応する前記眼科検査装置以外の他の眼科検査装置が設置された前記検査室に割り当てられた第２待合端末に前記被検者を誘導する誘導情報を生成し、前記誘導情報を前記被検者端末に送信することを特徴とする請求項２に記載の眼科検査システム。  
【請求項４】
前記被検者端末は、各種情報を表示する表示部を有し、
前記管理装置は、前記位置データと前記第２待合端末に割り当てられた識別情報とに基づいて、前記現在位置と前記第２待合端末との位置関係を前記表示部に表示させるとともに前記現在位置から前記第２待合端末までの順路を前記表示部に表示させることを特徴とする請求項３に記載の眼科検査システム。
【請求項５】
前記眼科検査装置が設置された施設において検者により使用される検者端末であって前記待合端末および前記管理装置と通信可能に接続された検者端末をさらに備え、
前記検者端末は、前記被検者端末と前記待合端末との間において近距離通信技術を介して通信が行われると、前記被検者に割り当てられた識別情報および前記位置データを前記待合端末および前記管理装置の少なくともいずれかから受信することを特徴とする請求項２〜４のいずれか１項に記載の眼科検査システム。
【請求項６】
前記検者端末は、前記待合端末または前記管理装置が算出した前記被検者の人数を前記複数の待合端末および前記管理装置の少なくともいずれかから受信することを特徴とする請求項５に記載の眼科検査システム。
【発明の詳細な説明】
【技術分野】
【０００１】
本発明は、眼科検査システムに関する。
【背景技術】
【０００２】
眼科の分野で使用される眼科装置は種類が多く、これら各眼科装置を個別に操作することは煩雑であるため、複数の眼科装置を一つの端末等で操作可能とする提案がなされている（例えば、特許文献１）。
一方、眼科を受診する患者等の被検者は、複数の眼科装置を用いた検査をする必要がある。また、これらの眼科装置は、装置によっては１つの部屋に複数の眼科装置が配置される場合もあるが、一方、暗室や半暗室で行うことが必要となる場合は、すべての眼科装置を同じ部屋に配置せずに、複数の部屋に分けて配置することもある。
したがって、被検者が複数の眼科装置の検査を受けるときは、同じ部屋内の眼科装置を順番に巡る必要や順番に異なる部屋を巡る必要がある。
【先行技術文献】
【特許文献】
【０００３】
【特許文献１】特開２０１７―２９３６９号公報
【発明の概要】
【発明が解決しようとする課題】
【０００４】
しかし、被検者が同じ部屋にある複数の眼科装置について、検査を受ける順番を把握することは難しく、特に、眼科装置が異なる部屋に分かれて配置されているときに、検査を受けるために入室する部屋の順番を把握することは、被検者にとって、より困難である。そのため、被検者が検査を受ける眼科装置がある部屋に迅速に到着できず、眼科診療の効率化を図ることが困難であるという問題があった。また、眼科検査の操作等を担当する検者等は、被検者が順番を待っている眼科装置のある部屋を把握できず、検査を受けるべき眼科検査がある部屋に被検者を誘導することが困難であった。この点においても、眼科診療の効率化を図ることが困難であるという問題があった。
【０００５】
本発明は、前記課題を解決するためになされたものであり、眼科診療の効率化を図ることができる眼科検査システムを提供することを目的とする。
【課題を解決するための手段】
【０００６】
前記課題は、本発明によれば、眼科検査装置と、前記眼科検査装置が設置された施設において被検者により使用される被検者端末と、前記眼科検査装置が設置された検査室の待合空間に設置され、前記被検者端末と通信可能に接続された待合端末と、を備え、前記待合端末は、前記被検者端末と前記待合端末との間において近距離通信技術を介して通信が行われると、前記被検者に割り当てられた識別情報および前記被検者端末の現在位置を示す位置データを受信することを特徴とする眼科検査システムにより解決される。
【０００７】
前記構成によれば、眼科検査装置が設置された検査室の待合空間に設置された待合端末は、被検者端末と待合端末との間において近距離通信技術を介して通信が行われると、被検者に割り当てられた識別情報および被検者端末の現在位置を示す位置データを受信する。これにより、待合端末は、いずれの被検者が眼科検査装置による検査を待機しているかを認識することができる。また、待合端末は、眼科検査装置による検査を待機している被検者の現在位置を識別情報および位置データにより認識することができる。これにより、眼科診療の効率化を図ることができる。
【０００８】
好ましくは、前記被検者端末および前記待合端末と通信回線を介して通信可能に接続された管理装置をさらに備え、前記待合端末または前記管理装置は、前記被検者端末から受信した前記識別情報に基づいて前記眼科検査装置による検査を待機している前記被検者の人数を算出することを特徴とする。
【０００９】
前記構成によれば、待合端末または管理装置は、被検者端末から受信した識別情報に基づいて眼科検査装置による検査を待機している被検者の人数を算出する。これにより、例えば検者などは、眼科検査装置による検査を待機している被検者の待機状態（混雑状況）を待合端末により把握することができる。これにより、眼科診療の効率化を図ることができる。
【００１０】
好ましくは、複数の前記検査室に複数の前記眼科検査装置が設けられ、前記複数の検査室のそれぞれに割り当てられた複数の前記待合端末が設けられ、前記管理装置は、前記複数の待合端末のうちの第１待合端末において待機している前記被検者の人数に応じて、前記第１待合端末に対応する前記眼科検査装置以外の他の眼科検査装置が設置された前記検査室に割り当てられた第２待合端末に前記被検者を誘導する誘導情報を生成し、前記誘導情報を前記被検者端末に送信することを特徴とする。
【００１１】
前記構成によれば、管理装置は、複数の待合端末のうちの第１待合端末において待機している被検者の人数に応じて、第１待合端末に対応する眼科検査装置以外の他の眼科検査装置が設置された検査室に割り当てられた第２待合端末に被検者を誘導する誘導情報を生成する。つまり、管理装置は、第１待合端末において眼科検査装置による検査を待機している被検者の人数に応じて、第１待合端末とは異なる他の第２待合端末に被検者を誘導する誘導情報を生成する。そして、管理装置は、生成した誘導情報を被検者端末に送信する。これにより、第１待合端末が設置された検査室の眼科検査装置による検査を待機している被検者が多い場合（第１待合端末が設置された検査室が混雑している場合）には、管理装置は、第１待合端末が設置された検査室よりも空いている検査室の第２待合端末に被検者を誘導することができる。そのため、眼科診療のさらなる効率化を図ることができる。
【００１２】
好ましくは、前記被検者端末は、各種情報を表示する表示部を有し、前記管理装置は、前記位置データと前記第２待合端末に割り当てられた識別情報とに基づいて、前記現在位置と前記第２待合端末との位置関係を前記表示部に表示させるとともに前記現在位置から前記第２待合端末までの順路を前記表示部に表示させることを特徴とする。
【００１３】
前記構成によれば、管理装置は、位置データと、第２待合端末に割り当てられた識別情報と、に基づいて、被検者端末の現在位置（被検者の現在位置）と、第２待合端末と、の位置関係を被検者端末の表示部に表示させる。また、管理装置は、被検者端末の現在位置（被検者の現在位置）から第２待合端末までの順路を被検者端末の表示部に表示させる。これにより、被検者は、第１待合端末とは異なる第２待合端末に誘導される場合であっても、眼科検査装置が設置された施設内で迷うことなく、比較的短時間で第１待合端末から第２待合端末に移動することができる。
【００１４】
好ましくは、前記眼科検査装置が設置された施設において検者により使用される検者端末であって前記待合端末および前記管理装置と通信可能に接続された検者端末をさらに備え、前記検者端末は、前記被検者端末と前記待合端末との間において近距離通信技術を介して通信が行われると、前記被検者に割り当てられた識別情報および前記位置データを前記待合端末および前記管理装置の少なくともいずれかから受信することを特徴とする。
【００１５】
前記構成によれば、眼科検査装置が設置された施設において検者により使用される検者端末は、被検者端末と待合端末との間において近距離通信技術を介して通信が行われると、被検者に割り当てられた識別情報および位置データを待合端末および管理装置の少なくともいずれかから受信する。これにより、検者は、いずれの被検者が眼科検査装置による検査を待機しているかを検者端末により把握することができる。また、検者は、眼科検査装置による検査を待機している被検者の現在位置を検者端末により把握することができる。
【００１６】
好ましくは、前記検者端末は、前記待合端末または前記管理装置が算出した前記被検者の人数を前記複数の待合端末および前記管理装置の少なくともいずれかから受信することを特徴とする。
【００１７】
前記構成によれば、検者は、待合端末または管理装置が算出した被検者の人数（眼科検査装置による検査を待機している被検者の人数）を検者端末により把握することができる。また、検者は、複数の待合端末のそれぞれにおいて待機している被検者の人数を検者端末により把握することができる。
【発明の効果】
【００１８】
本発明によれば、眼科診療の効率化を図ることができる眼科検査システムを提供することができる。
【図面の簡単な説明】
【００１９】
【図１】本発明の実施形態に係る眼科検査システムの主な構成を示す概略図である。
【図２】眼科病院において、各眼科装置を備える部屋の配置の一例を示す概略図である。
【図３】図１の被検者用タブレット１００（検者用タブレット２００ａ等）の主な構成を示す概略ブロック図である。
【図４】図１に示す管理サーバ４０の主な構成を示す概略ブロック図である。
【図５】図１に示す待合端末３００ａ等の主な構成を示す概略ブロック図である。
【図６】図１に示す眼科装置の主な構成を示す概略ブロック図である。
【図７】本実施形態に係る眼科検査システムの第１動作例を表すシーケンスチャートである。
【図８】本実施形態に係る眼科検査システムの第２動作例を表すシーケンスチャートである。
【図９】本実施形態に係る眼科検査システムの第３動作例を表すシーケンスチャートである。
【発明を実施するための形態】
【００２０】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２１】
図１は、本発明の実施形態に係る眼科検査システムの主な構成を示す概略図である。
図２は、眼科病院において、各眼科装置を備える部屋の配置の一例を示す概略図である。
【００２２】
（眼科病院に配置される眼科装置等）
図１に示すように、眼科検査システム１は、眼科病院の複数の部屋（検査室）、例えば、「他覚測定室（１）」、「自覚検査室（２）」、「撮影検査室（３）」、「暗室検査・特殊検査室（４）」、「視野検査室（５）」及び「診察室１〜４」に配置される眼科検査装置を有している。以下の説明において、眼科検査装置を単に「眼科装置」と称することがある。
【００２３】
具体的には、「他覚測定室（１）」には、眼科装置である例えば、「レフラクトメータ、ケラトメータ１０」、「眼圧計１１」及び「スペキュラーマイクロスコープ１２」が配置されている。
また、「自覚検査室（２）」には、眼科装置である例えば、「視力検査装置１３」、「フォロプター１４」、「検眼システム１５」が配置されている。
また、「撮影検査室（３）」には、眼科装置である例えば、「眼底カメラ１６」及び「ＯＣＴ装置１７」が配置されている。
また、「暗室検査・特殊検査室（４）」には、眼科装置である例えば、「視機能検査装置１８」が配置されている。
また、「視野検査室（５）」には、眼科装置である例えば、「マイクロペリメータ１９」及び「視野計２０」が配置されている。
また、「診察室１〜４」には、眼科装置である例えば、「スリットランプ２１ａ〜２１ｄ」が配置されている。
【００２４】
また、図１に示すように、「他覚測定室（１）」等の眼圧計１１等は、通信回線２に通信可能に接続されている。そして、眼科検査システム１の各種情報を管理等する「管理サーバ４０」（「他の装置」の一例）も通信回線２に通信可能に接続されている。本実施形態の管理サーバ４０は、本発明の「管理装置」の一例である。
したがって、「他覚測定室（１）」等の眼圧計１１等は、管理サーバ４０と相互に通信可能に配置されている。
【００２５】
（「被検者用タブレット」等）
被検者用タブレット（被検者端末）１００は、図１に示すように、その表面に表示部である例えば、「タブレット側ディスプレイ１０１」を有し、この「タブレット側ディスプレイ１０１」には各種情報が表示される構成となっている。本実施形態の被検者用タブレット１００は、本発明の「被検者端末」の一例である。
また、被検者用タブレット１００は、通信機能を有している。具体的には、到達距離の短い無線通信、通信エリアは、数センチからおよそ１メートル程度の極短距離であり「非接触通信」とも呼ばれるＢｌｕｅｔｏｏｔｈ（登録商標）や赤外線通信等の「近距離無線通信」が可能な構成となっている。
【００２６】
また、被検者用タブレット１００は、眼科病院内で利用可能なＬＡＮ（ローカルエリアネットワーク）を無線（ワイヤレス）通信可能な構成ともなっている。
したがって、後述するように、被検者が「被検者用タブレット１００」を例えば、図１の「他覚測定室（１）」に入室し、「眼圧計１１」に近づけることで、「眼圧計１１」との間で通信が可能な構成となっている。
また、被検者若しくは検者（検査者）が、「被検者用タブレット１００」を操作することで、対象の眼圧計１１等の測定操作等の簡単な制御が可能な構成となっている。
すなわち、被検者は、検者が傍にいないときでも、単独で眼圧計１１等の測定を開始することができる構成となっている。
【００２７】
また、「被検者用タブレット１００」は、「位置情報取得装置１０２」（図３参照）を備えている。この「位置情報取得装置１０２」は、病院内で利用可能なＬＡＮのアクセスポイントの位置と被検者用タブレット１００との距離から位置情報を取得するものである。
そして、当該「被検者用タブレット１００」の位置情報を取得し、タブレット側ディスプレイ１０１に表示する。
【００２８】
なお、本発明では、上述の「位置情報取得装置１０２」が、衛星との距離で位置情報を測位するＧＰＳ装置（グローバル・ポジショニング・システム（英語: Ｇｌｏｂａｌ  Ｐｏｓｉｔｉｏｎｉｎｇ  Ｓｙｓｔｅｍ、ＧＰＳ、全地球測位システム）であっても良い。
【００２９】
また、本発明の「位置情報取得装置１０２」が、高精度位置情報提供技術を用いた装置であっても構わない。これは、ＧＰＳ装置等と異なり、室内でも高精度に位置情報を取得することができる装置であり、具体的には、以下のとおりである。
この「高精度位置情報提供」装置は、指向性の高いビーコン、高精度自律航法（ＰＤＲ：Ｐｅｄｅｓｔｒｉａｎ  Ｄｅａｄ  Ｒｅｃｋｏｎｉｎｇ）及び「高精度マップマッチング（ＰＭＭ：Ｐｅｄｅｓｔｒｉａｎ  Ｍａｐ  Ｍａｔｃｈｉｎｇ）」の３つの技術を組み合わせることで、高精度な位置情報（例えば、位置誤差３ｍ以下）を取得するものである。
ここで、「ビーコン」は、無線局等から発射される電波（または赤外線のような高周波の電磁波）及びこのような電波を発射する設備等を意味する。
【００３０】
具体的には、被検者用タブレット１００を利用して、指向性の高いビーコンからの信号強度と、ビーコンの位置から絶対位置を計測する。そして、この絶対位置をＰＤＲで処理し、ＰＭＭを利用して地図表示することになる。
【００３１】
また、本システム１では、図１に示すように、検者用タブレット２００ａ〜２００ｆを有している。これら検者用タブレット２００ａ〜２００ｆの構成は、上述の被検者用タブレット１００と同様であるが、これら検者用タブレット２００ａ〜２００ｆは、「他覚測定室（１）」等の各部屋に配置されている「眼圧計１１」等の機器を操作する検者（検査者）が所持する端末である。
そして、これら検者用タブレット２００ａ〜２００ｆは、「検者端末」の一例となっている。
【００３２】
（「待合端末」等）
図１および図２に表したように、複数の眼科装置が設置された複数の部屋（検査室）の待合空間には、待合端末３００ａ〜３００ｉが設けられている。待合端末３００ａ〜３００ｉのそれぞれは、「他覚測定室（１）」等の各部屋のＩＤ（識別情報）を認識している。つまり、待合端末３００ａ〜３００ｉのそれぞれは、「他覚測定室（１）」等の各部屋と紐付けされている。あるいは、待合端末３００ａ〜３００ｉのそれぞれは、「他覚測定室（１）」等の各眼科装置のＩＤ（識別情報）を認識していてもよい。この場合には、待合端末３００ａ〜３００ｉのそれぞれは、「他覚測定室（１）」等の各眼科装置と紐付けされる。
【００３３】
待合端末３００ａ等は、図２に表したように、「他覚測定室（１）」等の各部屋の入口近傍に設置された待合椅子のところに設定されていてもよい。あるいは、待合端末３００ａ等は、「他覚測定室（１）」等の各部屋の中に設置されていてもよい。待合端末３００ａ等は、通信機能を有し、被検者用タブレット１００と通信可能とされている。具体的には、距離の短い無線通信、通信エリアは、数センチからおよそ１メートル程度の極短距離であり「非接触通信」とも呼ばれるＢｌｕｅｔｏｏｔｈ（登録商標）や赤外線通信等の「近距離無線通信」が可能な構成となっている。
【００３４】
被検者用タブレット１００は、通信機能を有している。具体的には、到達距離の短い無線通信、通信エリアは、数センチからおよそ１メートル程度の極短距離であり「非接触通信」とも呼ばれるＢｌｕｅｔｏｏｔｈ（登録商標）や赤外線通信等の「近距離無線通信」が可能な構成となっている。本実施形態の「近距離無線通信」としては、例えば、Ｂｌｕｅｔｏｏｔｈ（登録商標）などのワイヤレスＬＡＮ通信や赤外線通信などが挙げられるが、本実施形態の「近距離無線通信」は、非接触型磁気カードや非接触型ＩＣカードなどを利用した通信であってもよい。
【００３５】
（眼科装置である「レフラクトメータ、ケラトメータ１０」等の説明）
次いで、上述の眼科病院に配置される眼科装置である「レフラクトメータ、ケラトメータ１０」等の主な装置について、説明する。
【００３６】
（他覚測定室（１）関連）
・「レフラクトメータ、ケラトメータ１０」（以下「レフラクトメータ等１０」とする。）は、眼球の屈折特性を測定する眼屈折検査装置である。
・「眼圧計１１」は眼圧を計測する装置である。具体的には、眼圧計１１は、例えば、眼圧測定部を有し、非接触式又は接触式の眼圧計としての機能を備える。
非接触式眼圧計の場合、眼圧測定部は、たとえば、被検眼Ｅ（図６参照）の前眼部を撮影するための光学系と、この光学系と同軸に設けられたノズルから被検眼の角膜に気流を吹き付ける気流吹付部と、被検眼に固視標を提示する固視光学系とを含む。更に、眼圧測定部は気流が吹き付けられている状態の角膜の変形状態に基づいて被検眼の眼圧値を求めるプロセッサを含む。
一方、接触式の眼圧計の場合、眼圧測定部は、たとえば、被検眼Ｅの前眼部を観察するための光学系と、被検眼の角膜に一定面積の平面を有する部材を押し付けるための圧平部とを含む。
更に、眼圧測定部は、角膜の当該一定面積を圧平するのに必要な圧力を検出して被検眼の眼圧値を求めるプロセッサを含む。
・「スペキュラーマイクロスコープ１２」は角膜の特性（角膜厚、細胞分布等）を検査する装置である。
なお、「他覚測定室（１）」に配置される装置は、自動化されているものもある。
【００３７】
（自覚検査室（２）関連）
・「視力検査装置１３」は、提示された視標に対する応答に基づき視力を測定する装置である。この視力検査には時間がかかる傾向がある。
【００３８】
（撮影検査室（３）関連）
・「眼底カメラ１６」は、眼底を写真撮影するためのカメラである。
具体的には、眼底カメラ１６は、眼底撮影部を有し、眼底撮影部は、眼底カメラとしての機能を備える。この眼底撮影部は、例えば、被検眼の眼底に照明光を照射するための照明光学系と、照明光の眼底からの戻り光をイメージセンサ（エリアセンサ）に導く撮影光学系と、被検眼に固視標を提示する固視光学系とを含む。
・「ＯＣＴ装置１７」は、光干渉を利用して眼底や前眼部の断面像や３次元データ、解析データを得るため光干渉断層計である。
具体的には、ＯＣＴが例えば、低コヒーレンス光源と分光器が搭載された、いわゆるスペクトラルドメイン（Ｓｐｅｃｔｒａｌ  Ｄｏｍａｉｎ）タイプのＯＣＴを用いた光干渉断層計やスペクトラルドメイン以外のタイプ、たとえば、スウェプトソース（Ｓｗｅｐｔ  Ｓｏｕｒｃｅ）タイプのＯＣＴの手法を用いた光干渉断層計がある。
スウェプトソースＯＣＴとは、被写体に照射される光の波長を走査（波長掃引）し、各波長の光の反射光と参照光とを重ね合わせて得られる干渉光を順次に検出して、スペクトル強度分布を取得し、それに対して、フーリエ変換を施すことにより被写体を画像化する手法である。
【００３９】
（暗室検査・特殊検査室（４）関連）
・「視機能検査装置１８」は、視機能検査装置のみならず、視力測定用の視標（ランドルト環等）を呈示する視標呈示装置を含む。被検眼の視力測定を行うための機能を備える。
【００４０】
（診察室１〜４関連）
・診察室１〜４には、それぞれ、「スリットランプ２１ａ〜２１ｄ」が配置されると共に、医師が在室し、各医師は「検者用タブレット」を有している。
「スリットランプ２１ａ〜２１ｄ」は、細隙灯とも呼ばれ、両方の目で見る検眼用の顕微鏡である。
【００４１】
また、図１に表した管理サーバ４０、被検者用タブレット１００，検者用タブレット２００ａ等、眼圧計１１等は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００４２】
（被検者用タブレット１００等の主な構成）
図３は、図１の被検者用タブレット１００（検者用タブレット２００ａ等）の主な構成を示す概略ブロック図である。
検者用タブレット２００ａ等の構成は、被検者用タブレット１００の構成と同様であるため、以下、被検者用タブレット１００の構成のみ説明する。
被検者用タブレット１００は、図３に示すように、「タブレット制御部１０３」を有していると共に、上述のように被検者用タブレット１００が、眼科装置である眼圧計１１等と通信するために使用される「タブレット側通信装置１０４」や上述の位置情報取得装置１０２を有している。
【００４３】
また、被検者用タブレット１００は、上述のタブレット側ディスプレイ１０１や、各種情報を入力するキーボード等のタブレット側各種情報入力部１０５、そして、各種情報を記憶するタブレット側各種情報記憶部１０６を有している。
そして、タブレット制御部１０３は、タブレット側通信装置１０４等を制御する構成となっている。
【００４４】
（管理サーバ４０の主な構成）
図４は、図１に示す管理サーバ４０の主な構成を示す概略ブロック図である。
図４に示すように、管理サーバ４０は、「サーバ制御部４１」、他の機器と通信するための「サーバ側通信装置４２」、各種情報を表示する「サーバ側ディスプレイ４３」、各種情報を入力するキーボード等の「サーバ側各種情報入力部４４」を有し、眼科装置、被検者用タブレット１００、検者用タブレット２００ａ等、待合端末３００ａ等と通信回線２を介して通信可能に接続されている。
【００４５】
また、管理サーバ４０は、図４に示すように、「患者Ｘ情報記憶部４５」、「誘導情報生成部４６」および「病院配置図情報記憶部４７」等を有するが、これらの構成については後述する。
図４のサーバ制御部４１は、図４に示すサーバ側通信装置４２等と接続され、これらを制御する構成となっている。
【００４６】
（待合端末３００ａ等の主な構成）
図５は、図１に示す待合端末３００ａ等の主な構成を示す概略ブロック図である。
図５に示すように、待合端末３００ａ〜３００ｉの構成は、互いに同様である。待合端末３００ａ等は、「待合端末制御部３０１」、他の機器と通信するための「待合端末通信部３０２」、各種情報を表示する「待合端末ディスプレイ３０３」、各種情報を入力するキーボード等の「待合端末入力部３０４」を有する。待合端末制御部３０１は、眼科装置による検査を待機している被検者の人数を算出する人数算出部３０８を有する。
【００４７】
また、待合端末３００ａ等は、患者Ｘ（被検者）の情報を送受信する「患者Ｘ情報送受信部３０５」、被検者用タブレット１００の位置情報を送受信する「位置情報送受信部３０６」、各種情報を記憶する「待合端末記憶部３０７」を有している。
待合端末制御部３０１は、待合端末通信部３０２等を制御する構成となっている。
【００４８】
（眼科装置の主な構成）
図６は、図１に示す眼科装置の主な構成を示す概略ブロック図である。
眼科病院に配置される眼科装置である「レフラクトメータ、ケラトメータ１０」等の主な構成は種々存在する。ここでは、本実施形態の眼科装置の主な構成を説明する。
【００４９】
本実施形態の眼科装置は、「眼科装置制御部３１」と、「検査部３２」と、「ユーザインターフェイス（ＵＩ）部３３」と、「眼科装置通信部３４」と、を有する。眼科装置制御部３１は、各種の制御や演算を実行する。検査部３２は、眼科装置制御部３１による制御を受けて被検眼Ｅの検査を実行する。検査部３２は、眼科検装置の種別に応じた構成を備える。ユーザインターフェイス部３３は、被検者（及び検者）に向けた情報を出力する機能と、情報入力や操作指示を行うための機能とを備える。眼科装置通信部３４は、他装置（管理サーバ４０、被検者用タブレット１００、検者用タブレット２００ａ等、待合端末３００ａ等）との間でデータ通信を行う。
【００５０】
（眼科検査システムの主な動作例）
図７は、本実施形態に係る眼科検査システムの第１動作例を表すシーケンスチャートである。
本実施形態では、被検者である患者Ｘが眼科病院を訪れ、初診として受診し、各種の眼科装置等を用いて検査を受ける場合を例に以下、説明する。
【００５１】
患者Ｘは眼科病院を訪問し、図２の受付で受け付けする。その際、自己の氏名等の個人情報等を提示する。すると、病院の担当者が患者ＸのＩＤ情報等（「識別情報」の一例）を生成し、「患者が初診である」情報、及び訪問先が「診察室１」である情報を管理サーバ４０の図４の「患者Ｘ情報記憶部４５」に登録する。
【００５２】
次いで、受付が、来院する患者が院内で所持する「被検者用タブレット１００」を有しているので、この被検者用タブレット１００に、患者ＸのＩＤ情報（被検者ＩＤ：識別情報）、「患者が初診である」情報、及び訪問先が「診察室１」である情報を「被検者用タブレット１００」に入力し、患者Ｘに貸与する。
【００５３】
次いで、患者Ｘが、受け取った「被検者用タブレット１００」を起動させると、タブレット側ディスプレイ１０１に図２に示す「病院配置図」が表示される。
この病院配置図は、図４に示すように管理サーバ４０の「病院配置図情報記憶部４７」に記憶され、この病院配置図は、患者Ｘに貸与される前に、受付等で、被検者用タブレット１００が、管理サーバ４０から受信する。
【００５４】
また、ステップＳ１１において、被検者用タブレット１００は、被検者用タブレット１００の現在位置を示す位置データ（位置情報）を生成する。具体的には、被検者用タブレット１００の「位置情報取得装置１０２」が動作し、「被検者用タブレット１００」の位置を測位する。これにより、被検者用タブレット１００の現在位置を示す位置データ（位置情報）が生成される。
【００５５】
なお、被検者用タブレット１００の現在位置を示す位置データは、被検者用タブレット１００により作成されることには限定されず、待合端末３００ａ等により作成されてもよい。すなわち、待合端末３００ａ等は、被検者用タブレット１００が取得した位置情報に基づいて、被検者用タブレット１００の現在位置を示す位置データを生成してもよい。本実施形態では、被検者用タブレット１００が被検者用タブレット１００の現在位置を示す位置データを生成する場合を例に挙げる。
【００５６】
なお、被検者用タブレット１００の現在位置は、図２に示すように「病院配置図」上に丸印Ｐにより表示されてもよい。さらに、「被検者用タブレット１００」のスピーカから音声で「診察室１に行ってください」という音声が出力されてもよい。
【００５７】
これによれば、患者Ｘは、最初に「診察室１」に行くことを明確に把握することができると共に、自己の現在の位置（丸印Ｐ）と「診察室１」との位置関係を明確に把握することができる。そのため、患者Ｘは、容易かつ迷わずに「診察室１」に行くことができる。
【００５８】
一方で、ステップＳ１２において、眼圧計１１等の眼科装置は、装置ＩＤ（識別情報）を待合端末３００ａ等に予め送信している。つまり、待合端末３００ａ〜３００ｉのそれぞれは、「他覚測定室（１）」等の各眼科装置の装置ＩＤ（識別情報）を認識している。これにより、待合端末３００ａ〜３００ｉのそれぞれは、「他覚測定室（１）」等の各眼科装置と紐付けされている。あるいは、待合端末３００ａ〜３００ｉのそれぞれは、「他覚測定室（１）」等の各部屋の部屋ＩＤ（識別情報）を認識している。これにより、待合端末３００ａ〜３００ｉのそれぞれは、「他覚測定室（１）」等の各部屋と紐付けされている。
【００５９】
続いて、ステップＳ１３において、患者Ｘが被検者用タブレット１００を「診察室１」の待合空間に設置された待合端末３００ｆに近づけると、被検者用タブレット１００と待合端末３００ｆとの間において近距離通信技術を介して通信が行われる。そうすると、被検者用タブレット１００と待合端末３００ｆとの間において、通信が開始される（ステップＳ１３）。
【００６０】
なお、患者Ｘが目的の場所に到着していないことが判明した場合は、情報をわかりやすく変更して「被検者用タブレット１００」の「タブレット側ディスプレイ１０１」に表示させたり、スタッフに声をかけるように「タブレット側ディスプレイ１０１」に表示させたりする構成ともなっている。また、自動的に監視装置（図示せず）から、あるいは気づいた検者から「被検者用タブレット１００」に呼び出しを行う構成としてもよい。
【００６１】
被検者用タブレット１００と待合端末３００ｆとの間の通信が開始されると、ステップＳ１４において、被検者用タブレット１００は、患者Ｘに割り当てられた識別情報（被検者ＩＤ）と、被検者用タブレット１００の現在位置を示す位置データと、を待合端末３００ｆに送信する。これにより、待合端末３００ｆは、患者Ｘに割り当てられた識別情報（被検者ＩＤ）を患者Ｘ情報送受信部３０５により受信し、被検者用タブレット１００の現在位置を示す位置データを位置情報送受信部３０６により受信する。
【００６２】
続いて、ステップＳ１５において、待合端末３００ｆは、被検者用タブレット１００から受信した識別情報（被検者ＩＤ）に基づいてスリットランプ２１ａによる検査（診察室１における診療）を待機している被検者の人数を人数算出部３０８により算出する。
【００６３】
本実施形態の第１動作例によれば、待合端末３００ａ等は、いずれの被検者が眼科装置による検査（あるいは診察室における診療）を待機しているかを認識することができる。また、待合端末３００ａ等は、眼科装置による検査を待機している被検者の現在位置を識別情報（被検者ＩＤ）および被検者用タブレット１００の位置データにより認識することができる。これにより、眼科診療の効率化を図ることができる。
【００６４】
また、待合端末３００ａ等は、被検者用タブレット１００から受信した識別情報（被検者ＩＤ）に基づいて眼科装置による検査（あるいは診察室における診療）を待機している被検者の人数を人数算出部３０８により算出する。これにより、例えば検者などは、眼科装置による検査を待機している被検者の待機状態（混雑状況）を待合端末３００ａ等により把握することができる。これにより、眼科診療の効率化を図ることができる。
【００６５】
図８は、本実施形態に係る眼科検査システムの第２動作例を表すシーケンスチャートである。
図８に表したステップＳ２１〜Ｓ２５は、図７に関して前述したステップＳ１１〜Ｓ１５の動作と同様である。
【００６６】
なお、眼科装置による検査（あるいは診察室における診療）を待機している被検者の人数は、待合端末３００ａ等ではなく管理サーバ４０により算出されてもよい。つまり、例えば、管理サーバ４０は、被検者用タブレット１００から待合端末３００ａ等を介して受信した識別情報（被検者ＩＤ）に基づいて眼科装置による検査（あるいは診察室における診療）を待機している被検者の人数を算出してもよい。図８の説明では、待合端末３００ａ等が眼科装置による検査（あるいは診察室における診療）を待機している被検者の人数を算出する場合を例に挙げる。
【００６７】
また、図７に関して前述したように、被検者用タブレット１００の現在位置を示す位置データは、被検者用タブレット１００により作成されることには限定されず、待合端末３００ａ等あるいは管理サーバ４０により作成されてもよい。本実施形態では、被検者用タブレット１００が被検者用タブレット１００の現在位置を示す位置データを生成する場合を例に挙げる。
【００６８】
ステップＳ２５に続くステップＳ２６において、待合端末３００ｆ（第１待合端末）は、スリットランプ２１ａによる検査（診察室１における診療）を待機している被検者の人数を待合端末通信部３０２を介して管理サーバ４０に送信する。第２動作例における待合端末３００ｆは、本発明の「第１待合端末」の一例である。
【００６９】
続いて、ステップＳ２７において、管理サーバ４０は、待合端末３００ｆから受信した被検者（待合端末３００ｆにおいて待機している被検者）の人数に基づいて、スリットランプ２１ａによる検査（診察室１における診療）を待機している被検者の人数が多いか否か、すなわちスリットランプ２１ａによる検査（診察室１における診療）が混雑しているか否かを判断する。具体的には、管理サーバ４０は、待合端末３００ｆから受信した被検者の人数が所定の人数以上であるか否かを判断する。
【００７０】
スリットランプ２１ａによる検査（診察室１における診療）を待機している被検者の人数が多い場合には（ステップＳ２７：ＹＥＳ）、ステップＳ２８において、管理サーバ４０は、誘導情報生成部４６により誘導情報を生成する。例えば、管理サーバ４０は、患者Ｘが待機しているスリットランプ２１ａ以外の他の眼科装置（例えば眼圧計１１）が設置された検査室（例えば他覚測定室（１））に割り当てられた待合端末３００ａ（第２待合端末）に患者Ｘを誘導する。第２動作例における待合端末３００ａは、本発明の「第２待合端末」の一例である。つまり、管理サーバ４０の誘導情報生成部４６により生成される誘導情報は、第１待合端末に紐付けられた眼科装置以外の他の眼科装置が設置された検査室に割り当てられた第２待合端末に被検者を誘導するための情報である。
【００７１】
ステップＳ２９において、管理サーバ４０は、ステップＳ２８において生成した誘導情報をサーバ側通信装置４２を介して被検者用タブレット１００に送信する。続いて、ステップＳ３０において、管理サーバ４０は、被検者用タブレット１００から受信した被検者用タブレット１００の位置データと、第２待合端末（例えば待合端末３００ｆ以外の待合端末３００ａ）に割り当てられた識別情報と、に基づいて、被検者用タブレット１００の現在位置と、第２待合端末（例えば待合端末３００ａ）と、の位置関係を被検者用タブレット１００のタブレット側ディスプレイ１０１に表示させる。また、管理サーバ４０は、被検者用タブレット１００の現在位置から第２待合端末（例えば待合端末３００ａ）までの順路を被検者用タブレット１００のタブレット側ディスプレイ１０１に表示させる。
【００７２】
言い換えれば、被検者用タブレット１００は、管理サーバ４０からタブレット側通信装置１０４を介して誘導情報を受信すると、被検者用タブレット１００の現在位置と、第２待合端末（例えば待合端末３００ａ）と、の位置関係をタブレット側ディスプレイ１０１に表示する。また、被検者用タブレット１００は、被検者用タブレット１００の現在位置から第２待合端末（例えば待合端末３００ａ）までの順路をタブレット側ディスプレイ１０１に表示する。
【００７３】
ステップＳ２６に続くステップＳ２７において、スリットランプ２１ａによる検査（診察室１における診療）を待機している被検者の人数が少ない場合には（ステップＳ２７：ＮＯ）、管理サーバ４０は、誘導情報を生成せずに動作を終了する。
【００７４】
本実施形態の第２動作例によれば、第１待合端末（第２動作例では待合端末３００ｆ）が設置された検査室（第２動作例では「診察室１」）の眼科装置（スリットランプ２１ａ）による検査（診療）を待機している被検者が多い場合（第１待合端末が設置された検査室が混雑している場合）には、管理サーバ４０は、第１待合端末が設置された検査室よりも空いている検査室（第２動作例では他覚測定室（１））の第２待合端末（第２動作例では待合端末３００ａ）に患者Ｘを誘導することができる。そのため、眼科診療のさらなる効率化を図ることができる。
【００７５】
また、管理サーバ４０は、被検者用タブレット１００の現在位置と、第２待合端末（待合端末３００ａ）と、の位置関係をタブレット側ディスプレイ１０１に表示させるとともに、被検者用タブレット１００の現在位置から第２待合端末（待合端末３００ａ）までの順路をタブレット側ディスプレイ１０１に表示させる。これにより、患者Ｘは、第１待合端末（待合端末３００ｆ）とは異なる第２待合端末（待合端末３００ａ）に誘導される場合であっても、眼科病院内で迷うことなく、比較的短時間で第１待合端末（待合端末３００ｆ）から第２待合端末（待合端末３００ａ）に移動することができる。
【００７６】
なお、検査室が混雑している例としては、次のような事例が挙げられる。すなわち、例えば、現在、他の被検者が白内障のため、図１の「他覚測定室（１）」の「レフラクトメータ、ケラトメータ１０」の測定が困難で測定に時間が掛かっており、同装置のエラーが頻発し、「混雑」している場合がある。また、現在、「撮像検査室（３）」の「眼底カメラ１６」のキセノンランプが発光しないエラーが発生し、例えば、２台の「眼底カメラ１６」のうち、１台が使用不可となり、「混雑」している場合がある。例えば、このような場合において、管理サーバ４０は、第１待合端末が設置された検査室よりも空いている検査室の第２待合端末に患者Ｘを誘導することができる。そのため、眼科診療のさらなる効率化を図ることができる。
【００７７】
図９は、本実施形態に係る眼科検査システムの第３動作例を表すシーケンスチャートである。
図９に表したステップＳ４１〜Ｓ４５は、図７に関して前述したステップＳ１１〜Ｓ１５の動作と同様である。
【００７８】
なお、図８に関して前述したように、眼科装置による検査（あるいは診察室における診療）を待機している被検者の人数は、待合端末３００ａ等ではなく管理サーバ４０により算出されてもよい。つまり、例えば、管理サーバ４０は、被検者用タブレット１００から待合端末３００ａ等を介して受信した識別情報（被検者ＩＤ）に基づいて眼科装置による検査（あるいは診察室における診療）を待機している被検者の人数を算出してもよい。図９の説明では、待合端末３００ａ等が眼科装置による検査（あるいは診察室における診療）を待機している被検者の人数を算出する場合を例に挙げる。
【００７９】
ステップＳ４５に続くステップＳ４６において、待合端末３００ｆは、患者Ｘに割り当てられた識別情報（被検者ＩＤ）を患者Ｘ情報送受信部３０５を介して検者用タブレット２００ａ等に送信し、被検者用タブレット１００の現在位置を示す位置データを位置情報送受信部３０６を介して検者用タブレット２００ａ等に送信する。また、ステップＳ４６において、待合端末３００ｆは、ステップＳ４５において算出された被検者の人数を待合端末通信部３０２を介して検者用タブレット２００ａ等に送信する。言い換えれば、検者用タブレット２００ａ等は、被検者用タブレット１００と待合端末３００ｆとの間において近距離通信技術を介して通信が行われると、患者Ｘに割り当てられた識別情報（被検者ＩＤ）を待合端末３００ｆから受信するとともに被検者用タブレット１００により生成された位置データを待合端末３００ｆから受信する。さらに、検者用タブレット２００ａ等は、待合端末３００ｆの人数算出部３０８により算出された被検者の人数を待合端末３００ｆから受信する。あるいは、検者用タブレット２００ａ等は、複数の待合端末３００ａ等により算出された被検者の人数を複数の待合端末３００ａ等から受信してもよい。
【００８０】
続いて、ステップＳ４７において、検者用タブレット２００ａ等は、患者Ｘに割り当てられた識別情報（被検者ＩＤ）と、被検者用タブレット１００の現在位置を示す位置データと、ステップＳ４５において算出された被検者の人数と、を検者用タブレット２００ａ等のタブレット側ディスプレイ１０１に表示する。
【００８１】
本実施形態の第３動作例によれば、検者は、いずれの被検者が眼科装置による検査（あるいは診察室における診療）を待機しているかを検者用タブレット２００ａ等により把握することができる。また、検者は、眼科装置による検査を待機している被検者の現在位置を識別情報（被検者ＩＤ）および被検者用タブレット１００の位置データにより把握することができる。これにより、眼科診療の効率化を図ることができる。
【００８２】
また、検者用タブレット２００ａ等は、スリットランプ２１ａによる検査（診察室１における診療）を待機している被検者の人数を検者用タブレット２００ａ等のタブレット側ディスプレイ１０１に表示する。これにより、検者は、待合端末３００ｆが算出した被検者の人数（スリットランプ２１ａによる検査を待機している被検者の人数）を検者用タブレット２００ａ等により把握することができる。なお、複数の待合端末３００ａ等により算出された被検者の人数を検者用タブレット２００ａ等が複数の待合端末３００ａ等から受信する場合には、検者は、複数の待合端末３００ａ等のそれぞれにおいて待機している被検者の人数を検者用タブレット２００ａ等により把握することができる。
【００８３】
なお、図９では、検者用タブレット２００ａ等は、患者Ｘに割り当てられた識別情報（被検者ＩＤ）と、被検者用タブレット１００の位置データと、眼科装置による検査（あるいは診察室における診療）を待機している被検者の人数と、を待合端末３００ａ等から受信しているが、これだけには限定されず、管理サーバ４０から受信してもよい。すなわち、管理サーバ４０は、患者Ｘに割り当てられた識別情報（被検者ＩＤ）と、被検者用タブレット１００の位置データと、を待合端末３００ａ等から受信し、検者用タブレット２００ａ等は、管理サーバ４０が待合端末３００ａ等から受信した識別情報（被検者ＩＤ）および位置データを受信してもよい。また、管理サーバ４０は、眼科装置による検査（あるいは診察室における診療）を待機している被検者の人数を算出し、検者用タブレット２００ａ等は、管理サーバ４０により算出された被検者の人数を管理サーバ４０から受信してもよい。
【００８４】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
本実施の形態では、眼科病院の検査室等を例に説明したが、本発明は、これに限らず、他の施設、例えば、さまざまな手続きを行う窓口の会計、入院事務、院内調剤等にも適用される。
【符号の説明】
【００８５】
１・・・眼科検査システム、  ２・・・通信回線、  １０・・・レフラクトメータ、ケラトメータ、  １１・・・眼圧計、  １２・・・スペキュラーマイクロスコープ、  １３・・・視力検査装置、  １４・・・フォロプター、  １５・・・検眼システム、  １６・・・眼底カメラ、  １７・・・ＯＣＴ装置、  １８・・・視機能検査装置、  １９・・・マイクロペリメータ、  ２０・・・視野計、  ２１ａ〜２１ｄ・・・スリットランプ、  ３１・・・眼科装置制御部、  ３２・・・検査部、  ３３・・・ユーザインターフェイス部、  ３４・・・眼科装置通信部、  ４０・・・管理サーバ、  ４１・・・サーバ制御部、  ４２・・・サーバ側通信装置、  ４３・・・サーバ側ディスプレイ、  ４４・・・サーバ側各種情報入力部、  ４５・・・患者Ｘ情報記憶部、  ４６・・・誘導情報生成部、  ４７・・・病院配置図情報記憶部、  １００・・・被検者用タブレット、  １０１・・・タブレット側ディスプレイ、  １０２・・・位置情報取得装置、  １０３・・・タブレット制御部、  １０４・・・タブレット側通信装置、  １０５・・・タブレット側各種情報入力部、  １０６・・・タブレット側各種情報記憶部、  ２００ａ〜２００ｆ・・・検者用タブレット、  ３００ａ〜３００ｉ・・・待合端末、  ３０１・・・待合端末制御部、  ３０２・・・待合端末通信部、  ３０３・・・待合端末ディスプレイ、  ３０４・・・待合端末入力部、  ３０５・・・患者Ｘ情報送受信部、  ３０６・・・位置情報送受信部、  ３０７・・・待合端末記憶部、  ３０８・・・人数算出部、  Ｅ・・・被検眼、  Ｘ・・・患者
【図１】
2019063115.tif 000003
【図２】
2019063115.tif 000004
【図３】
2019063115.tif 000005
【図４】
2019063115.tif 000006
【図５】
2019063115.tif 000007
【図６】
2019063115.tif 000008
【図７】
2019063115.tif 000009
【図８】
2019063115.tif 000010
【図９】
2019063115.tif 000011